(57)【要約】【課題】レーザー距離計の測定起点が床や壁から所定の距離だけ離れた位置にある場合や、またレーザー距離計を傾けて使用する場合に、測定誤差を殆ど生じることなく容易に使用できるレーザー距離計を提供する。【解決手段】レーザー距離計４１に鋼製巻尺４５を装着すると共に、レーザー距離計４１で距離を測るときのゼロ基準点４４を、レーザー距離計４１の後端面４１ｂから後方に向けて突出させた箇所に設けた。【選択図】        図１１
0003210487.tif 000002
【実用新案登録請求の範囲】
【請求項１】
レーザー距離計に鋼製巻尺を装着したことを特徴とするレーザー距離計。
【請求項２】
レーザー距離計で距離を測るときのゼロ基準点を、レーザー距離計の後端面から後方に向けて突出させた先端箇所に設けたことを特徴とするレーザー距離計。
【請求項３】
レーザー距離計で距離を測るときのゼロ基準点を、レーザー距離計の幅方向後端面に円弧状に且つ厚み方向後端面に円弧状にそれぞれ設けたことを特徴とするレーザー距離計。
【請求項４】
レーザー距離計に鋼製巻尺を装着すると共に、レーザー距離計で距離を測るときのゼロ基準点を、レーザー距離計の後端面から後方に向けて突出させた箇所に設けたことを特徴とするレーザー距離計。
【請求項５】
レーザー距離計に鋼製巻尺を装着すると共に、レーザー距離計で距離を測るときのゼロ基準点を、レーザー距離計の幅方向後端面に円弧状に且つ厚み方向後端面に円弧状にそれぞれ設けたことを特徴とするレーザー距離計。
【請求項６】
鋼製巻尺は、レーザー距離計に外付けで着脱自在に装着されている請求項１、請求項４、請求項５の何れかに記載のレーザー距離計。
【請求項７】
鋼製巻尺は、レーザー距離計の後部側に内装して装着されている請求項１、請求項４、請求項５の何れかに記載のレーザー距離計。
【請求項８】
ゼロ基準点は、レーザー距離計の後端面から後方に向けて円錐状に突出させた先端箇所に設けられている請求項２又は請求項４に記載のレーザー距離計。
【請求項９】
ゼロ基準点は、レーザー距離計の後端面から後方に向けて棒状に突出させた先端箇所に設けられている請求項２又は請求項４に記載のレーザー距離計。
【請求項１０】
ゼロ基準点は、レーザー距離計の後端面から後方に向けて棒状に突出させた先端に形成された球状箇所に設けられている請求項２又は請求項４に記載のレーザー距離計。
【考案の詳細な説明】
【技術分野】
【０００１】
この考案は、レーザー光を利用して距離を測定できるレーザー距離計に係り、特に、レーザー距離計の測定起点が床や壁から所定の距離だけ離れた位置にある場合や、またレーザー距離計を傾けて使用する場合に、測定誤差を殆ど生じることなく容易に使用できるレーザー距離計に関するものである。
【背景技術】
【０００２】
従来、レーザー光を利用して距離を測定できるレーザー距離計が知られている。
レーザー距離計を使って距離を測定する場合において、基準面から例えば３０〜９０cm位浮かした位置から測定することが多々ある。
この場合には、別の鋼製巻尺で予め３０〜９０cmの高さを測っておいて、その高さ位置にレーザー距離計を持っていき、そこに持ってきたレーザー距離計で計測している。
【先行技術文献】
【特許文献】
【０００３】
【特許文献１】実開平０７−０２９４８８
【考案の概要】
【考案が解決しようとする課題】
【０００４】
しかしながら、このような使用方法にあっては、レーザー距離計の他に任意の高さを測る別の鋼製巻尺が必要であった。つまり、レーザー距離計と鋼製巻尺の双方を用意しておく必要があった。
また、鋼製巻尺で高さを測定し、その測定位置にレーザー距離計を持っていき、鋼製巻尺で測った高さを保ちながら、レーザー距離計で同時に距離を測るのは面倒であり、計測誤差も生じやすかった。
さらに、レーザー距離計のゼロ基準点は通常、器具の後端面になっている。レーザー距離計は手で掴みやすいように一般に直方体の形状になっていて、その後端面は直角な平坦面に形成されている。このため、レーザー距離計で水平距離を測る場合は何ら問題ないが、レーザー距離計を傾けて計測する場合は、器具の後端面が直角な平坦面になっているため、傾きのサイン角度分だけゼロ基準点が鋼製巻尺の測点から少し離れることになり、その結果、正確な距離が測れないという欠点もあった。
【０００５】
この考案は、上記のような課題に鑑み、その課題を解決すべく創案されたものであって、その目的とするところは、レーザー距離計の測定起点が床や壁から所定の距離だけ離れた位置にある場合や、またレーザー距離計を傾けて使用する場合に、測定誤差を殆ど生じることなく容易に使用できるレーザー距離計を提供することにある。
【課題を解決するための手段】
【０００６】
以上の課題を達成するために、請求項１の考案は、レーザー距離計に鋼製巻尺を装着した手段よりなるものである。
また、請求項２の考案は、レーザー距離計で距離を測るときのゼロ基準点を、レーザー距離計の後端面から後方に向けて突出させた先端箇所に設けた手段よりなるものである。
また、請求項３の考案は、レーザー距離計で距離を測るときのゼロ基準点を、レーザー距離計の幅方向後端面に円弧状に且つ厚み方向後端面に円弧状にそれぞれ設けた手段よりなるものである。
また、請求項４の考案は、レーザー距離計に鋼製巻尺を装着すると共に、レーザー距離計で距離を測るときのゼロ基準点を、レーザー距離計の後端面から後方に向けて突出させた箇所に設けた手段よりなるものである。
また、請求項５の考案は、レーザー距離計に鋼製巻尺を装着すると共に、レーザー距離計で距離を測るときのゼロ基準点を、レーザー距離計の幅方向後端面に円弧状に且つ厚み方向後端面に円弧状にそれぞれ設けた手段よりなるものである。
また、請求項１、請求項４、請求項５の好ましい態様として、鋼製巻尺は、レーザー距離計に外付けで着脱自在に装着されている。又は、鋼製巻尺は、レーザー距離計の後部側に内装して装着されている。
また、請求項２又は請求項４の好ましい態様として、ゼロ基準点は、レーザー距離計の後端面から後方に向けて円錐状に突出させた先端箇所に設けられている。又は、ゼロ基準点は、レーザー距離計の後端面から後方に向けて棒状に突出させた先端箇所に設けられている。或いは、ゼロ基準点は、レーザー距離計の後端面から後方に向けて棒状に突出させた先端箇所に設けられている。更に又は、ゼロ基準点は、レーザー距離計の後端面から後方に向けて棒状に突出させた先端に形成された球状箇所に設けられている。
【考案の効果】
【０００７】
請求項１の考案に係るレーザー距離計によれば、レーザー距離計に鋼製巻尺を装着したことにより、レーザー距離計の測定起点が床や壁から所定の距離だけ離れた位置にある場合に、レーザー距離計に装着した鋼製巻尺を用いることにより、新たに別に鋼製巻尺を準備することなく、レーザー距離計の測定起点を床や壁などから簡単容易に測ることができる。
また、請求項２、３の考案に係るレーザー距離計によれば、レーザー距離計で距離を測るときのゼロ基準点を、レーザー距離計の後端面から後方に向けて突出させた先端箇所に設けることにより、或いは、レーザー距離計の幅方向後端面に円弧状に且つ厚み方向後端面に円弧状にそれぞれ設けることにより、レーザー距離計を傾けて使用する場合に、測定誤差を殆ど生じることなく容易に使用することができる。
さらに、請求項４、５の考案に係るレーザー距離計によれば、レーザー距離計に鋼製巻尺を装着すると共に、レーザー距離計で距離を測るときのゼロ基準点を、レーザー距離計の後端面から後方に向けて突出させた先端箇所に設けることにより、或いは、レーザー距離計の幅方向後端面に円弧状に且つ厚み方向後端面に円弧状にそれぞれ設けることにより、レーザー距離計の測定起点が床や壁から所定の距離だけ離れた位置にある場合に、レーザー距離計に装着した鋼製巻尺を用いることにより、新たに別に鋼製巻尺を準備することなく、レーザー距離計の測定起点を床や壁などから簡単容易に測ることができると共に、レーザー距離計を傾けて使用する場合に、測定誤差を殆ど生じることなく容易に使用することができる等、極めて実用的有益なる効果を奏するものである。
【図面の簡単な説明】
【０００８】
【図１】この考案を実施するための形態−１を示す鋼製巻尺を後部下面に備えたレーザー距離計の前方斜視図である。
【図２】この考案を実施するための形態−１を示す鋼製巻尺を前部下面に備えたレーザー距離計の後方斜視図である。
【図３】この考案を実施するための形態−１を示す鋼製巻尺を後部側面に備えたレーザー距離計の前方斜視図である。
【図４】この考案を実施するための形態−１を示す鋼製巻尺を前部側面に備えたレーザー距離計の後方斜視図である。
【図５】この考案を実施するための形態−１を示す鋼製巻尺を後部に内装したレーザー距離計の側面図である。
【図６】（Ａ）はこの考案を実施するための形態−２を示す後端面に円錐状の先端箇所を有するレーザー距離計の前方斜視図、（Ｂ）は後端面に円錐状の先端箇所を有するレーザー距離計の後方斜視図である。
【図７】（Ａ）はこの考案を実施するための形態−２を示す後端面に棒状の先端箇所を有するレーザー距離計の前方斜視図、（Ｂ）は後端面に棒状の先端箇所を有するレーザー距離計の後方斜視図である。
【図８】（Ａ）はこの考案を実施するための形態−２を示す後端面に棒状先端に球状箇所を有するレーザー距離計の前方斜視図、（Ｂ）は後端面に棒状先端に球状箇所を有するレーザー距離計の後方斜視図である。
【図９】（Ａ）はこの考案を実施するための形態−３を示す幅方向後端面に円弧状に且つ厚み方向後端面に円弧状を有するレーザー距離計の前方斜視図、（Ｂ）は幅方向後端面に円弧状に且つ厚み方向後端面に円弧状を有するレーザー距離計の後方斜視図である。
【図１０】（Ａ）はこの考案を実施するための形態−３を示す幅方向後端面に円弧状に且つ厚み方向後端面に円弧状を有するレーザー距離計の平面図、（Ｂ）は同図（Ａ）の側面図、（Ｃ）は同図（Ａ）の正面図である。
【図１１】（Ａ）はこの考案を実施するための形態−４を示す鋼製巻尺を後部下面に備え後端面に円錐状の先端箇所を有するレーザー距離計の前方斜視図、（Ｂ）は鋼製巻尺を前部下面に備え後端面に円錐状の先端箇所を有するレーザー距離計の後方斜視図である。
【図１２】（Ａ）はこの考案を実施するための形態−４を示す鋼製巻尺を後部側面に備え後端面に円錐状の先端箇所を有するレーザー距離計の前方斜視図、（Ｂ）は鋼製巻尺を前部側面に備え後端面に円錐状の先端箇所を有するレーザー距離計の後方斜視図である。
【図１３】この考案を実施するための形態−４を示す鋼製巻尺を後部に内装し後端面に円錐状の先端箇所を有するレーザー距離計の側面図である。
【図１４】（Ａ）はこの考案を実施するための形態−４を示す鋼製巻尺を後部下面に備え後端面に棒状の先端箇所を有するレーザー距離計の前方斜視図、（Ｂ）は鋼製巻尺を前部下面に備え後端面に棒状の先端箇所を有するレーザー距離計の後方斜視図である。
【図１５】（Ａ）はこの考案を実施するための形態−４を示す鋼製巻尺を後部側面に備え後端面に棒状の先端箇所を有するレーザー距離計の前方斜視図、（Ｂ）は鋼製巻尺を前部側面に備え後端面に棒状の先端箇所を有するレーザー距離計の後方斜視図である。
【図１６】この考案を実施するための形態−４を示す鋼製巻尺を後部に内装し後端面に棒状の先端箇所を有するレーザー距離計の側面図である。
【図１７】（Ａ）はこの考案を実施するための形態−４を示す鋼製巻尺を後部下面に備え後端面に棒状先端に球状箇所を有するレーザー距離計の前方斜視図、（Ｂ）は鋼製巻尺を前部下面に備え後端面に棒状先端に球状箇所を有するレーザー距離計の後方斜視図である。
【図１８】（Ａ）はこの考案を実施するための形態−４を示す鋼製巻尺を後部側面に備え後端面に棒状先端に球状箇所を有するレーザー距離計の前方斜視図、（Ｂ）は鋼製巻尺を前部側面に備え後端面に棒状先端に球状箇所を有するレーザー距離計の後方斜視図である。
【図１９】この考案を実施するための形態−４を示す鋼製巻尺を後部に内装し後端面に棒状先端に球状箇所を有するレーザー距離計の側面図である。
【図２０】（Ａ）はこの考案を実施するための形態−５を示す鋼製巻尺を後部下面に備え幅方向後端面に円弧状に且つ厚み方向後端面に円弧状を有するレーザー距離計の前方斜視図、（Ｂ）は鋼製巻尺を前部下面に備え幅方向後端面に円弧状に且つ厚み方向後端面に円弧状を有するレーザー距離計の後方斜視図である。
【図２１】（Ａ）はこの考案を実施するための形態−５を示す鋼製巻尺を後部側面に備え幅方向後端面に円弧状に且つ厚み方向後端面に円弧状を有するレーザー距離計の前方斜視図、（Ｂ）は鋼製巻尺を前部側面に備え幅方向後端面に円弧状に且つ厚み方向後端面に円弧状を有するレーザー距離計の後方斜視図である。
【図２２】この考案を実施するための形態を示す幅方向後端面に円弧状に且つ厚み方向後端面に円弧状を有するレーザー距離計の側面図である。
【図２３】（Ａ）はこの考案を実施するための形態を示す後端面に円錐状の先端箇所を有するレーザー距離計の傾き取り付け時の側面図、（Ｂ）は後端面に円錐状の先端箇所を有するレーザー距離計の傾き取り付け時の平面図である。
【図２４】（Ａ）はこの考案を実施するための形態を示す後端面に棒状の先端箇所を有するレーザー距離計の傾き取り付け時の側面図、（Ｂ）は後端面に棒状の先端箇所を有するレーザー距離計の傾き取り付け時の平面図である。
【図２５】（Ａ）はこの考案を実施するための形態を示す後端面に後端面に棒状先端に球状箇所を有するレーザー距離計の傾き取り付け時の側面図、（Ｂ）は後端面に棒状先端に球状箇所を有するレーザー距離計の傾き取り付け時の平面図である。
【図２６】（Ａ）はこの考案を実施するための形態を示す幅方向後端面に円弧状に且つ厚み方向後端面に円弧状を有するレーザー距離計の傾き取り付け時の側面図、（Ｂ）は幅方向後端面に円弧状に且つ厚み方向後端面に円弧状を有するレーザー距離計の傾き取り付け時の平面図である。
【考案を実施するための形態】
【０００９】
以下、図面に記載の考案を実施するための形態に基づいて、この考案をより具体的に説明する。
【００１０】
〔実施の形態−１〕
図１〜図５において、レーザー距離計１１は、その先端面１１ａからレーザー光ａを、距離を測りたい対象物の表面に向けて照射し、その反射光を受けて、それに基づいて対象物の表面までの距離を計測する機器である。レーザー距離計１１の先端面１１ａにはレーザー光ａの発射側となる送光レンズ１２と、反射光を受ける受光レンズ１３とを有している。
【００１１】
レーザー距離計１１は、例えば前後方向に長い直方体の形状をしており、距離を測定する場合に先端面１１ａになる箇所には、上記の送光レンズ１２と受光レンズ１３とが備えられている。
【００１２】
また、レーザー距離計１１で距離を測定する場合のゼロ基準点１４は、先端面１１ａの反対側となる後端面１１ｂになるように設計されている。そして、このレーザー距離計１１を用いて距離を測定する場合には、レーザー距離計１１のゼロ基準点１４となる後端面１１ｂを計測のゼロ基準箇所に据えて計測している。
【００１３】
レーザー距離計１１の前後の先端面１１ａと後端面１１ｂとの間にある四側面の一つの一側面には、距離表示画面１１ｃが設けられていて、計測された数値が表示される。また、複数の押しボタンが設けられている。押しボタンには、例えばスイッチオン用と距離を測るためのスタートボタンを兼ねるＯＮボタン１１ｄ、スイッチオフ用と距離表示画面１１ｃに表示された計測数値を消す消去ボタンとを兼ねるＯＦＦボタン１１ｅ、などが設けられている。
【００１４】
レーザー距離計１１には、鋼製巻尺１５が装着されている。鋼製巻尺１５は、例えば床面や壁面から所定の長さ離れた箇所を計測のゼロ基準箇所とし、そこからレーザー距離計１１を用いて距離を測る場合に利用される。鋼製巻尺１５には金属製巻尺片１５ａが巻かれて収納されている。金属製巻尺片１５ａの先端はＬ字型先端１５ｂになっていて、鋼製巻尺１５の引き出し口１５ｃよりそれ以上内部に巻き取られない構造になっている。鋼製巻尺１５は、レーザー距離計１１のゼロ基準点１４に対して直角方向の距離を測れるように、金属製巻尺片１５ａがその方角に向けて引き出せるように、レーザー距離計１１に装着されている。
【００１５】
鋼製巻尺１５は、図１〜図４に示すようにレーザー距離計１１の外部に着脱自在に装着されていたり、或いは図５に示すようにレーザー距離計１１の後部側に内装して装着されていたりする。鋼製巻尺１５に巻かれて収納される金属製巻尺片１５ａの表面にはその長さ方向に２種類の目盛りが表記されている。一つは、これを使って長さを測る場合に利用する通常目盛り１５ｄである。もう一つはレーザー距離計１１のゼロ基準点１４から鋼製巻尺１５より引き出された金属製巻尺片１５ａの先端までの長さが表記された基準点目盛り１５ｅである。
【００１６】
引き出された金属製巻尺片１５ａの引き出し口１５ｃでの数値を見ることで、金属製巻尺片１５ａのＬ字型先端１５ｂからレーザー距離計１１のゼロ基準点１４までの長さを知ることができる。基準点目盛り１５ｅは通常目盛り１５ｄに比べて数センチほど数値が高くなっている。
【００１７】
次に、上記考案を実施するための形態の構成に基づく使用方法について以下説明する。
例えば床面から１ｍの高さの壁面から向かい側の壁面までの水平長さを測る場合には、レーザー距離計１１に装着されている鋼製巻尺１５から金属製巻尺片１５ａを引き出す。金属製巻尺片１５ａの引き出し口１５ｃにおける基準点目盛り１５ｅの値が１ｍを表示する長さまで引き出す。
【００１８】
鋼製巻尺１５から引き出された金属製巻尺片１５ａのＬ字型先端１５ｂを床面に接触し、レーザー距離計１１の先端面１１ａを水平長さを測る向かい側の壁面に向け、レーザー距離計１１の後端面１１ｂをこちら側の壁面に当接する。このレーザー距離計１１の後端面１１ｂにはゼロ基準点１４が位置しているので、レーザー距離計１１の後端面１１ｂを壁面に当接するとゼロ基準点１４は壁面の表面の位置に一致することになる。
【００１９】
この状態で、レーザー距離計１１の側面に設けられているＯＮボタン１１ｄを押すと、レーザー距離計１１の電源が入り、レーザー距離計１１の先端面１１ａの送光レンズ１２から向かい側の壁面の表面に向かって赤色レーザー光ａが発射され、向かい側の壁面の表面には赤色の小さいスポットライトが映りだされる。その状態でもう一度、ＯＮボタン１１ｄを押すと、距離表示画面１１ｃには、床面から１ｍの高さの壁面から向かい側の壁面までの水平長さが表示される。このようにして、例えば床面から所定の高さ位置での水平距離を簡単に測定することができる。
【００２０】
同様に、例えば壁面から所定の長さだけ離れた箇所から向こう側の壁面までの距離を測りたい場合には、レーザー距離計１１に装着されている鋼製巻尺１５から金属製巻尺片１５ａを引き出し口１５ｃでの基準点目盛り１５ｅの数値が所定の長さになるまで引き出す。
【００２１】
そのあとは、レーザー距離計１１の先端面１１ａを向こう側の壁面に向け、ＯＮボタン１１ｄを押して電源を入れると、レーザー距離計１１の先端面１１ａの送光レンズ１２から向かい側の壁面の表面に向かって赤色レーザー光ａが発射され、向かい側の壁面の表面には赤色の小さいスポットライトが映りだされる。その状態でもう一度、ＯＮボタン１１ｄを押すと、距離表示画面１１ｃには、壁面から所定の長さだけ離れた箇所から向かい側の壁面までの長さが表示される。このようにして、例えば壁面から所定の長さだけ離れた箇所から向かい側の壁面までの長さを簡単に測定することができる。
【００２２】
従来であれば、床面から１ｍの高さの壁面までをメジャーを使って測り、その箇所に印を付け、その印のついた箇所にレーザー距離計の後端面を当接して向かい側の壁面までの水平距離を測っている。このように、従来では床面から１ｍの高さの壁面にレーザー距離計の後端面を当接する箇所の印を付けることが必要であった。しかし、本願考案のレーザー距離計１１にあっては、レーザー距離計１１に装着されている鋼製巻尺１５を使用することで、所定高さの壁面の位置に印を付ける作業を省略することができる。
【００２３】
〔実施の形態−２〕
図６〜図８において、レーザー距離計２１は、その先端面２１ａからレーザー光ａを、距離を測りたい対象物の表面に向けて照射し、その反射光を受けて、それに基づいて対象物の表面までの距離を計測する機器である。レーザー距離計２１の先端面２１ａにはレーザー光ａの発射側となる送光レンズ２２と、反射光を受ける受光レンズ２３とを有している。
【００２４】
レーザー距離計２１は、例えば前後方向に長い直方体の形状をしており、距離を測定する場合に先端面２１ａになる箇所には、上記の送光レンズ２２と受光レンズ２３とが備えられている。
【００２５】
また、図６に示すものにあっては、レーザー距離計２１で距離を測定する場合のゼロ基準点２４は、先端面２１ａの反対側となる後端面２１ｂから後方に向けて円錐状に突出させた先端箇所２４ａになるように設計されている。そして、このレーザー距離計２１を用いて距離を測定する場合には、レーザー距離計２１のゼロ基準点２４となる後端面２１ｂから後方に向けて円錐状に突出させた先端箇所２４ａを計測のゼロ基準箇所に据えて計測している。
【００２６】
このようにゼロ基準点２４は後端面２１ｂから後方に向けて円錐状に突出させた先端箇所２４ａになるため、ゼロ基準面に対してレーザー距離計２１を傾けて使用してもゼロ基準点２４はゼロ基準面に接触することが可能となる。つまり、レーザー距離計２１の後端面が垂直面の場合にはレーザー距離計２１を傾けるとゼロ基準点２４がゼロ基準面から離れてしまい、正確な距離が測れない欠点を解消できる利点がある。
【００２７】
また、図７に示すものにあっては、レーザー距離計２１で距離を測定する場合のゼロ基準点２４は、先端面２１ａの反対側となる後端面２１ｂから後方に向けて棒状に突出させた先端箇所２４ｂになるように設計されている。そして、このレーザー距離計２１を用いて距離を測定する場合には、レーザー距離計２１のゼロ基準点２４となる後端面２１ｂから後方に向けて棒状に突出させた先端箇所２４ｂを計測のゼロ基準箇所に据えて計測している。
【００２８】
このようにゼロ基準点２４は後端面２１ｂから後方に向けて棒状に突出させた先端箇所２４ｂになるため、ゼロ基準面に対してレーザー距離計２１を傾けて使用してもゼロ基準点２４はゼロ基準面に接触することが可能となる。つまり、レーザー距離計２１の後端面が垂直面の場合にはレーザー距離計２１を傾けるとゼロ基準点２４がゼロ基準面から離れてしまい、正確な距離が測れない欠点を解消できる利点がある。
【００２９】
さらに、図８に示すものにあっては、レーザー距離計２１で距離を測定する場合のゼロ基準点２４は、先端面２１ａの反対側となる後端面２１ｂから後方に向けて棒状に突出させた先端に形成された球状箇所２４ｃになるように設計されている。そして、このレーザー距離計２１を用いて距離を測定する場合には、レーザー距離計２１のゼロ基準点２４となる後端面２１ｂから後方に向けて棒状に突出させた先端に形成された球状箇所２４ｃを計測のゼロ基準箇所に据えて計測している。
【００３０】
このようにゼロ基準点２４は後端面２１ｂから後方に向けて棒状に突出させた先端に形成された球状箇所２４ｃになるため、ゼロ基準面に対してレーザー距離計２１を傾けて使用してもゼロ基準点２４はゼロ基準面に接触することが可能となる。つまり、レーザー距離計２１の後端面が垂直面の場合にはレーザー距離計２１を傾けるとゼロ基準点２４がゼロ基準面から離れてしまい、正確な距離が測れない欠点を解消できる利点がある。
【００３１】
レーザー距離計２１の前後の先端面２１ａと後端面２１ｂとの間にある四側面の一つの一側面には、距離表示画面２１ｃが設けられていて、計測された数値が表示される。また、複数の押しボタンが設けられている。押しボタンには、例えばスイッチオン用と距離を測るためのスタートボタンを兼ねるＯＮボタン２１ｄ、スイッチオフ用と距離表示画面２１ｃに表示された計測数値を消す消去ボタンとを兼ねるＯＦＦボタン２１ｅ、などが設けられている。
【００３２】
次に、上記考案を実施するための形態の構成に基づく使用方法について以下説明する。
例えば壁面から向かい側の壁面までの水平長さを測る場合には、レーザー距離計２１の先端面２１ａを水平長さを測る向かい側の壁面に向け、レーザー距離計２１の後端面２１ｂをこちら側の壁面に当接する。また、例えば壁面から向かい側の壁面までの傾いた長さを測る場合には、レーザー距離計２１の先端面２１ａを傾いた長さを測る向かい側の壁面に向けて傾け、レーザー距離計２１の後端面２１ｂをこちら側の壁面に傾けて当接する（図２３〜図２５参照）。このレーザー距離計２１の後端面２１ｂにはゼロ基準点２４、つまり図２３の先端箇所２４ａ、図２４の先端箇所２４ｂ又は図２５の球状箇所２４ｃ、の何れかが位置している。
【００３３】
そこで、レーザー距離計２１の後端面２１ｂから後方に向けて円錐状に突出させた先端箇所２４ａ、又はレーザー距離計２１の後端面２１ｂから後方に向けて棒状に突出させた先端箇所２４ｂ、或いはレーザー距離計２１の後端面２１ｂから後方に向けて棒状に突出させた先端に形成された球状箇所２４ｃ、の何れかを壁面に当接するとゼロ基準点２４は壁面の表面の位置に一致することになる。
【００３４】
この状態で、レーザー距離計２１の側面に設けられているＯＮボタン２１ｄを押すと、レーザー距離計２１の電源が入り、レーザー距離計２１の先端面２１ａの送光レンズ２２から向かい側の壁面の表面に向かって赤色レーザー光ａが発射され、向かい側の壁面の表面には赤色の小さいスポットライトが映りだされる。その状態でもう一度、ＯＮボタン２１ｄを押すと、距離表示画面２１ｃには、壁面から向かい側の壁面までの水平長さを初め、レーザー距離計２１を傾けて使用するときには傾斜長さが表示される。このようにして、例えば水平距離を初め、傾斜距離を簡単に測定することができる。
【００３５】
〔実施の形態−３〕
図９〜図１０において、レーザー距離計３１は、その先端面３１ａからレーザー光ａを、距離を測りたい対象物の表面に向けて照射し、その反射光を受けて、それに基づいて対象物の表面までの距離を計測する機器である。レーザー距離計３１の先端面３１ａにはレーザー光ａの発射側となる送光レンズ３２と、反射光を受ける受光レンズ３３とを有している。
【００３６】
レーザー距離計３１は、例えば前後方向に長い直方体の形状をしており、距離を測定する場合に先端面３１ａになる箇所には、上記の送光レンズ３２と受光レンズ３３とが備えられている。
【００３７】
また、レーザー距離計３１で距離を測定する場合のゼロ基準点３４は、先端面３１ａの反対側となる後端面３１ｂの幅方向に円弧状に、且つ後端面３１ｂの厚み方向に円弧状に形成された形状になるように設計されている。そして、このレーザー距離計３１を用いて距離を測定する場合には、レーザー距離計３１のゼロ基準点３４となる後端面３１ｂを計測のゼロ基準箇所に据えて計測している。
【００３８】
このようにゼロ基準点３４は後端面３１ｂの幅方向に円弧状に、且つ後端面３１ｂの厚み方向に円弧状に形成された形状になるため、ゼロ基準面に対してレーザー距離計３１を傾けて使用してもゼロ基準点３４はゼロ基準面に接触することが可能となる。つまり、レーザー距離計３１の後端面が垂直面の場合にはレーザー距離計３１を傾けるとゼロ基準点３４がゼロ基準面から離れてしまい、正確な距離が測れない欠点を解消できる利点がある。
【００３９】
レーザー距離計３１の前後の先端面３１ａと後端面３１ｂとの間にある四側面の一つの一側面には、距離表示画面３１ｃが設けられていて、計測された数値が表示される。また、複数の押しボタンが設けられている。押しボタンには、例えばスイッチオン用と距離を測るためのスタートボタンを兼ねるＯＮボタン３１ｄ、スイッチオフ用と距離表示画面３１ｃに表示された計測数値を消す消去ボタンとを兼ねるＯＦＦボタン３１ｅ、などが設けられている。
【００４０】
次に、上記考案を実施するための形態の構成に基づく使用方法について以下説明する。
例えば壁面から向かい側の壁面までの水平長さを測る場合には、レーザー距離計３１の先端面３１ａを水平長さを測る向かい側の壁面に向け、レーザー距離計３１の後端面３１ｂをこちら側の壁面に当接する。また、例えば壁面から向かい側の壁面までの傾いた長さを測る場合には、レーザー距離計３１の先端面３１ａを傾いた長さを測る向かい側の壁面に向け、レーザー距離計３１の後端面３１ｂをこちら側の壁面に傾けて当接する（図２６参照）。このレーザー距離計３１の後端面３１ｂにはその後端面３１ｂの幅方向に円弧状に且つ後端面３１ｂの厚み方向に円弧状に形成された形状のゼロ基準点３４が位置しているので、レーザー距離計３１の後端面３１ｂを壁面に当接するとゼロ基準点３４は壁面の表面の位置に一致することになる。
【００４１】
この状態で、レーザー距離計３１の側面に設けられているＯＮボタン３１ｄを押すと、レーザー距離計３１の電源が入り、レーザー距離計３１の先端面３１ａの送光レンズ３２から向かい側の壁面の表面に向かって赤色レーザー光ａが発射され、向かい側の壁面の表面には赤色の小さいスポットライトが映りだされる。その状態でもう一度、ＯＮボタン３１ｄを押すと、距離表示画面３１ｃには、壁面から向かい側の壁面までの水平長さを初め、レーザー距離計３１を傾けて使用するときには傾斜長さが表示される。このようにして、例えば水平距離を初め、傾斜距離を簡単に測定することができる。
【００４２】
〔実施の形態−４〕
図１１〜図１９において、レーザー距離計４１は、その先端面４１ａからレーザー光ａを、距離を測りたい対象物の表面に向けて照射し、その反射光を受けて、それに基づいて対象物の表面までの距離を計測する機器である。レーザー距離計４１の先端面４１ａにはレーザー光ａの発射側となる送光レンズ４２と、反射光を受ける受光レンズ４３とを有している。
【００４３】
レーザー距離計４１は、例えば前後方向に長い直方体の形状をしており、距離を測定する場合に先端面４１ａになる箇所には、上記の送光レンズ４２と受光レンズ４３とが備えられている。
【００４４】
また、図１１〜図１３に示すものにあっては、レーザー距離計４１で距離を測定する場合のゼロ基準点４４は、先端面４１ａの反対側となる後端面４１ｂから後方に向けて円錐状に突出させた先端箇所４４ａになるように設計されている。そして、このレーザー距離計４１を用いて距離を測定する場合には、レーザー距離計４１のゼロ基準点４４となる後端面４１ｂから後方に向けて円錐状に突出させた先端箇所４４ａを計測のゼロ基準箇所に据えて計測している。
【００４５】
このようにゼロ基準点４４は後端面４１ｂから後方に向けて円錐状に突出させた先端箇所４４ａになるため、ゼロ基準面に対してレーザー距離計４１を傾けて使用してもゼロ基準点４４はゼロ基準面に接触することが可能となる。つまり、レーザー距離計４１の後端面が垂直面の場合にはレーザー距離計１を傾けるとゼロ基準点４４がゼロ基準面から離れてしまい、正確な距離が測れない欠点を解消できる利点がある。
【００４６】
また、図１４〜図１６に示すものにあっては、レーザー距離計４１で距離を測定する場合のゼロ基準点４４は、先端面４１ａの反対側となる後端面４１ｂから後方に向けて棒状に突出させた先端箇所４４ｂになるように設計されている。そして、このレーザー距離計４１を用いて距離を測定する場合には、レーザー距離計４１のゼロ基準点４４となる後端面４１ｂから後方に向けて棒状に突出させた先端箇所４４ｂを計測のゼロ基準箇所に据えて計測している。
【００４７】
このようにゼロ基準点４４は後端面４１ｂから後方に向けて棒状に突出させた先端箇所４４ｂになるため、ゼロ基準面に対してレーザー距離計４１を傾けて使用してもゼロ基準点４４はゼロ基準面に接触することが可能となる。つまり、レーザー距離計４１の後端面が垂直面の場合にはレーザー距離計１を傾けるとゼロ基準点４４がゼロ基準面から離れてしまい、正確な距離が測れない欠点を解消できる利点がある。
【００４８】
また、図１７〜図１９に示すものにあっては、レーザー距離計４１で距離を測定する場合のゼロ基準点４４は、先端面４１ａの反対側となる後端面４１ｂから後方に向けて棒状に突出させた先端に形成された球状箇所４４ｃになるように設計されている。そして、このレーザー距離計４１を用いて距離を測定する場合には、レーザー距離計４１のゼロ基準点４４となる後端面４１ｂから後方に向けて棒状に突出させた先端に形成された球状箇所４４ｃを計測のゼロ基準箇所に据えて計測している。
【００４９】
このようにゼロ基準点４４は後端面４１ｂから後方に向けて棒状に突出させた先端に形成された球状箇所４４ｃになるため、ゼロ基準面に対してレーザー距離計４１を傾けて使用してもゼロ基準点４４はゼロ基準面に接触することが可能となる。つまり、レーザー距離計４１の後端面が垂直面の場合にはレーザー距離計１を傾けるとゼロ基準点４４がゼロ基準面から離れてしまい、正確な距離が測れない欠点を解消できる利点がある。
【００５０】
レーザー距離計４１の前後の先端面４１ａと後端面４１ｂとの間にある四側面の一つの一側面には、距離表示画面４１ｃが設けられていて、計測された数値が表示される。また、複数の押しボタンが設けられている。押しボタンには、例えばスイッチオン用と距離を測るためのスタートボタンを兼ねるＯＮボタン４１ｄ、スイッチオフ用と距離表示画面４１ｃに表示された計測数値を消す消去ボタンとを兼ねるＯＦＦボタン４１ｅ、などが設けられている。
【００５１】
レーザー距離計４１には、鋼製巻尺４５が装着されている。鋼製巻尺４５は、例えば床面や壁面から所定の長さ離れた箇所を計測のゼロ基準箇所とし、そこからレーザー距離計４１を用いて距離を測る場合に利用される。鋼製巻尺４５には金属製巻尺片４５ａが巻かれて収納されている。金属製巻尺片４５ａの先端はＬ字型先端４５ｂになっていて、鋼製巻尺４５の引き出し口４５ｃよりそれ以上内部に巻き取られない構造になっている。鋼製巻尺４５は、レーザー距離計４１のゼロ基準点４４となる、つまり図１１〜図１３の先端箇所４４ａ、図１４〜図１６の先端箇所４４ｂ又は図１７〜図１９の球状箇所４４ｃ、の何れかに対して直角方向の距離を測れるように、金属製巻尺片４５ａがその方角に向けて引き出せるように、レーザー距離計４１に装着されている。
【００５２】
鋼製巻尺４５は、図１１，１２，１４，１５，１７，１８に示すようにレーザー距離計４１の外部に着脱自在に装着されていたり、或いは図１３，１６，１９に示すようにレーザー距離計４１の後部側に内装して装着されていたりする。鋼製巻尺４５に巻かれて収納される金属製巻尺片４５ａの表面にはその長さ方向に２種類の目盛りが表記されている。一つは、これを使って長さを測る場合に利用する通常目盛り４５ｄである。もう一つはレーザー距離計４１のゼロ基準点４４、つまり図１１〜図１３の先端箇所４４ａ、図１４〜図１６の先端箇所４４ｂ又は図１７〜図１９の球状箇所４４ｃ、の何れから鋼製巻尺４５より引き出された金属製巻尺片４５ａの先端までの長さが表記された基準点目盛り４５ｅである。
【００５３】
引き出された金属製巻尺片４５ａの引き出し口４５ｃでの数値を見ることで、金属製巻尺片４５ａのＬ字型先端４５ｂからレーザー距離計４１のゼロ基準点４４、つまり図１１〜図１３の先端箇所４４ａ、図１４〜図１６の先端箇所４４ｂ又は図１７〜図１９の球状箇所４４ｃ、の何れかまでの長さを知ることができる。基準点目盛り４５ｅは通常目盛り４５ｄに比べて数センチほど数値が高くなっている。
【００５４】
次に、上記考案を実施するための形態の構成に基づく使用方法について以下説明する。
例えば床面から１ｍの高さの壁面から向かい側の壁面までの水平長さを測る場合には、レーザー距離計４１に装着されている鋼製巻尺４５から金属製巻尺片４５ａを引き出す。金属製巻尺片４５ａの引き出し口４５ｃにおける基準点目盛り４５ｅの値が１ｍを表示する長さまで引き出す。
【００５５】
鋼製巻尺４５から引き出された金属製巻尺片４５ａのＬ字型先端４５ｂを床面に接触し、レーザー距離計４１の先端面４１ａを水平長さを測る向かい側の壁面に向け、レーザー距離計４１の後端面４１ｂをこちら側の壁面に当接する。このレーザー距離計４１の後端面４１ｂにはゼロ基準点４４、つまり図１１〜図１３の先端箇所４４ａ、図１４〜図１６の先端箇所４４ｂ又は図１７〜図１９の球状箇所４４ｃ、の何れかが位置している。
【００５６】
そこで、レーザー距離計４１の後端面４１ｂから後方に向けて円錐状に突出させた先端箇所４４ａ（図２３参照）、又はレーザー距離計４１の後端面４１ｂから後方に向けて棒状に突出させた先端箇所４４ｂ（図２４参照）、或いはレーザー距離計４１の後端面４１ｂから後方に向けて棒状に突出させた先端に形成された球状箇所４４ｃ（図２５参照）、の何れかを壁面に傾けて当接するとゼロ基準点４４は壁面の表面の位置に一致することになる。
【００５７】
この状態で、レーザー距離計４１の側面に設けられているＯＮボタン４１ｄを押すと、レーザー距離計４１の電源が入り、レーザー距離計４１の先端面４１ａの送光レンズ４２から向かい側の壁面の表面に向かって赤色レーザー光ａが発射され、向かい側の壁面の表面には赤色の小さいスポットライトが映りだされる。その状態でもう一度、ＯＮボタン４１ｄを押すと、距離表示画面４１ｃには、床面から１ｍの高さの壁面から向かい側の壁面までの水平長さを初め、レーザー距離計４１を傾けて使用するときには傾斜長さが表示される。このようにして、例えば床面から所定の高さ位置での水平距離を初め、傾斜距離を簡単に測定することができる。
【００５８】
同様に、例えば壁面から所定の長さだけ離れた箇所から向こう側の壁面までの距離を測りたい場合には、レーザー距離計４１に装着されている鋼製巻尺４５から金属製巻尺片４５ａを引き出し口４５ｃでの基準点目盛り４５ｅの数値が所定の長さになるまで引き出す。
【００５９】
そのあとは、レーザー距離計４１の先端面４１ａを向こう側の壁面に向け、ＯＮボタン４１ｄを押して電源を入れると、レーザー距離計４１の先端面４１ａの送光レンズ４２から向かい側の壁面の表面に向かって赤色レーザー光ａが発射され、向かい側の壁面の表面には赤色の小さいスポットライトが映りだされる。その状態でもう一度、ＯＮボタン４１ｄを押すと、距離表示画面４１ｃには、壁面から所定の長さだけ離れた箇所から向かい側の壁面までの長さが表示される。このようにして、例えば壁面から所定の長さだけ離れた箇所から向かい側の壁面までの長さを簡単に測定することができる。
【００６０】
従来であれば、床面から１ｍの高さの壁面までをメジャーを使って測り、その箇所に印を付け、その印のついた箇所にレーザー距離計の後端面を当接して向かい側の壁面までの水平距離を測っている。このように、従来では床面から１ｍの高さの壁面にレーザー距離計の後端面を当接する箇所の印を付けることが必要であった。しかし、本願考案のレーザー距離計４１にあっては、レーザー距離計４１に装着されている鋼製巻尺４５を使用することで、所定高さの壁面の位置に印を付ける作業を省略することができる。
【００６１】
〔実施の形態−５〕
図２０〜図２２において、レーザー距離計５１は、その先端面５１ａからレーザー光ａを、距離を測りたい対象物の表面に向けて照射し、その反射光を受けて、それに基づいて対象物の表面までの距離を計測する機器である。レーザー距離計５１の先端面５１ａにはレーザー光ａの発射側となる送光レンズ５２と、反射光を受ける受光レンズ５３とを有している。
【００６２】
レーザー距離計５１は、例えば前後方向に長い直方体の形状をしており、距離を測定する場合に先端面５１ａになる箇所には、上記の送光レンズ５２と受光レンズ５３とが備えられている。
【００６３】
また、レーザー距離計５１で距離を測定する場合のゼロ基準点５４は、先端面５１ａの反対側となる後端面５１ｂの幅方向に円弧状に、且つ後端面５１ｂの厚み方向に円弧状に形成された形状になるように設計されている。そして、このレーザー距離計５１を用いて距離を測定する場合には、レーザー距離計５１のゼロ基準点５４となる後端面５１ｂを計測のゼロ基準箇所に据えて計測している。
【００６４】
このようにゼロ基準点５４は後端面５１ｂの幅方向に円弧状に、且つ後端面５１ｂの厚み方向に円弧状に形成された形状になるため、ゼロ基準面に対してレーザー距離計５１を傾けて使用してもゼロ基準点５４はゼロ基準面に接触することが可能となる。つまり、レーザー距離計５１の後端面が垂直面の場合にはレーザー距離計５１を傾けるとゼロ基準点５４がゼロ基準面から離れてしまい、正確な距離が測れない欠点を解消できる利点がある。
【００６５】
レーザー距離計５１の前後の先端面５１ａと後端面５１ｂとの間にある四側面の一つの一側面には、距離表示画面５１ｃが設けられていて、計測された数値が表示される。また、複数の押しボタンが設けられている。押しボタンには、例えばスイッチオン用と距離を測るためのスタートボタンを兼ねるＯＮボタン５１ｄ、スイッチオフ用と距離表示画面５１ｃに表示された計測数値を消す消去ボタンとを兼ねるＯＦＦボタン５１ｅ、などが設けられている。
【００６６】
レーザー距離計５１には、鋼製巻尺５５が装着されている。鋼製巻尺５５は、例えば床面や壁面から所定の長さ離れた箇所を計測のゼロ基準箇所とし、そこからレーザー距離計５１を用いて距離を測る場合に利用される。鋼製巻尺５５には金属製巻尺片５５ａが巻かれて収納されている。金属製巻尺片５５ａの先端はＬ字型先端５５ｂになっていて、鋼製巻尺５５の引き出し口５５ｃよりそれ以上内部に巻き取られない構造になっている。鋼製巻尺５５は、レーザー距離計５１の後端面５１ｂの幅方向に円弧状に且つ後端面５１ｂの厚み方向に円弧状に形成された形状のゼロ基準点５４に対して直角方向の距離を測れるように、金属製巻尺片５５ａがその方角に向けて引き出せるように、レーザー距離計５１に装着されている。
【００６７】
鋼製巻尺５５は、図２０〜図２１に示すようにレーザー距離計５１の外部に着脱自在に装着されていたり、或いは図２２に示すようにレーザー距離計５１の後部側に内装して装着されていたりする。鋼製巻尺５５に巻かれて収納される金属製巻尺片５５ａの表面にはその長さ方向に２種類の目盛りが表記されている。一つは、これを使って長さを測る場合に利用する通常目盛り５５ｄである。もう一つはレーザー距離計５１のゼロ基準点５４から鋼製巻尺５５より引き出された金属製巻尺片５５ａの先端までの長さが表記された基準点目盛り５５ｅである。
【００６８】
引き出された金属製巻尺片５５ａの引き出し口５５ｃでの数値を見ることで、金属製巻尺片５５ａのＬ字型先端５５ｂからレーザー距離計５１の後端面５１ｂの幅方向に円弧状に且つ後端面５１ｂの厚み方向に円弧状に形成された形状のゼロ基準点５４までの長さを知ることができる。基準点目盛り５５ｅは通常目盛り５５ｄに比べて数センチほど数値が高くなっている。
【００６９】
次に、上記考案を実施するための形態の構成に基づく使用方法について以下説明する。
例えば床面から１ｍの高さの壁面から向かい側の壁面までの長さを測る場合には、レーザー距離計５１に装着されている鋼製巻尺５５から金属製巻尺片５５ａを引き出す。金属製巻尺片５５ａの引き出し口５５ｃにおける基準点目盛り５５ｅの値が１ｍを表示する長さまで引き出す。
【００７０】
鋼製巻尺５５から引き出された金属製巻尺片５５ａのＬ字型先端５５ｂを床面に接触し、レーザー距離計５１の先端面５１ａを長さを測る向かい側の壁面に向け、レーザー距離計５１の後端面５１ｂをこちら側の壁面に傾けて当接する（図２６参照）。このレーザー距離計５１の後端面５１ｂにはその後端面５１ｂの幅方向に円弧状に且つ後端面５１ｂの厚み方向に円弧状に形成された形状のゼロ基準点５４が位置しているので、レーザー距離計５１の後端面５１ｂを壁面に当接するとゼロ基準点５４は壁面の表面の位置に一致することになる。
【００７１】
この状態で、レーザー距離計５１の側面に設けられているＯＮボタン５１ｄを押すと、レーザー距離計５１の電源が入り、レーザー距離計５１の先端面５１ａの送光レンズ５２から向かい側の壁面の表面に向かって赤色レーザー光ａが発射され、向かい側の壁面の表面には赤色の小さいスポットライトが映りだされる。その状態でもう一度、ＯＮボタン５１ｄを押すと、距離表示画面５１ｃには、床面から１ｍの高さの壁面から向かい側の壁面までの水平長さを初め、レーザー距離計５１を傾けて使用するときには傾斜長さが表示される。このようにして、例えば床面から所定の高さ位置での水平距離を初め、傾斜距離を簡単に測定することができる。
【００７２】
同様に、例えば壁面から所定の長さだけ離れた箇所から向こう側の壁面までの距離を測りたい場合には、レーザー距離計５１に装着されている鋼製巻尺５５から金属製巻尺片５５ａを引き出し口５５ｃでの基準点目盛り５５ｅの数値が所定の長さになるまで引き出す。
【００７３】
そのあとは、レーザー距離計５１の先端面５１ａを向こう側の壁面に向け、ＯＮボタン５１ｄを押して電源を入れると、レーザー距離計５１の先端面５１ａの送光レンズ５２から向かい側の壁面の表面に向かって赤色レーザー光ａが発射され、向かい側の壁面の表面には赤色の小さいスポットライトが映りだされる。その状態でもう一度、ＯＮボタン５１ｄを押すと、距離表示画面５１ｃには、壁面から所定の長さだけ離れた箇所から向かい側の壁面までの長さが表示される。このようにして、例えば壁面から所定の長さだけ離れた箇所から向かい側の壁面までの長さを簡単に測定することができる。
【００７４】
従来であれば、床面から１ｍの高さの壁面までをメジャーを使って測り、その箇所に印を付け、その印のついた箇所にレーザー距離計の後端面を当接して向かい側の壁面までの水平距離を測っている。このように、従来では床面から１ｍの高さの壁面にレーザー距離計の後端面を当接する箇所の印を付けることが必要であった。しかし、本願考案のレーザー距離計５１にあっては、レーザー距離計５１に装着されている鋼製巻尺５５を使用することで、所定高さの壁面の位置に印を付ける作業を省略することができる。
【００７５】
なお、この考案は上記考案を実施するための形態に限定されるものではなく、この考案の精神を逸脱しない範囲で種々の改変をなし得ることは勿論である。
【符号の説明】
【００７６】
１１    レーザー距離計
１１ａ  先端面
１１ｂ  後端面
１１ｃ  距離表示画面
１１ｄ  ＯＮボタン
１１ｅ  ＯＦＦボタン
１２    送光レンズ
１３    受光レンズ
１４    ゼロ基準点
１５    鋼製巻尺
１５ａ  金属製巻尺片
１５ｂ  Ｌ字型先端
１５ｃ  引き出し口
１５ｄ  通常目盛り
１５ｅ  基準点目盛り
２１    レーザー距離計
２１ａ  先端面
２１ｂ  後端面
２１ｃ  距離表示画面
２１ｄ  ＯＮボタン
２１ｅ  ＯＦＦボタン
２２    送光レンズ
２３    受光レンズ
２４    ゼロ基準点
２４ａ  先端箇所
２４ｂ  先端箇所
２４ｃ  球状箇所
３１    レーザー距離計
３１ａ  先端面
３１ｂ  後端面
３１ｃ  距離表示画面
３１ｄ  ＯＮボタン
３１ｅ  ＯＦＦボタン
３２    送光レンズ
３３    受光レンズ
３４    ゼロ基準点
４１    レーザー距離計
４１ａ  先端面
４１ｂ  後端面
４１ｃ  距離表示画面
４１ｄ  ＯＮボタン
４１ｅ  ＯＦＦボタン
４２    送光レンズ
４３    受光レンズ
４４    ゼロ基準点
４４ａ  先端箇所
４４ｂ  先端箇所
４４ｃ  球状箇所
４５    鋼製巻尺
４５ａ  金属製巻尺片
４５ｂ  Ｌ字型先端
４５ｃ  引き出し口
４５ｄ  通常目盛り
４５ｅ  基準点目盛り
５１    レーザー距離計
５１ａ  先端面
５１ｂ  後端面
５１ｃ  距離表示画面
５１ｄ  ＯＮボタン
５１ｅ  ＯＦＦボタン
５２    送光レンズ
５３    受光レンズ
５４    ゼロ基準点
５５    鋼製巻尺
５５ａ  金属製巻尺片
５５ｂ  Ｌ字型先端
５５ｃ  引き出し口
５５ｄ  通常目盛り
５５ｅ  基準点目盛り
ａ    レーザー光
【図１】
0003210487.tif 000003
【図２】
0003210487.tif 000004
【図３】
0003210487.tif 000005
【図４】
0003210487.tif 000006
【図５】
0003210487.tif 000007
【図６】
0003210487.tif 000008
【図７】
0003210487.tif 000009
【図８】
0003210487.tif 000010
【図９】
0003210487.tif 000011
【図１０】
0003210487.tif 000012
【図１１】
0003210487.tif 000013
【図１２】
0003210487.tif 000014
【図１３】
0003210487.tif 000015
【図１４】
0003210487.tif 000016
【図１５】
0003210487.tif 000017
【図１６】
0003210487.tif 000018
【図１７】
0003210487.tif 000019
【図１８】
0003210487.tif 000020
【図１９】
0003210487.tif 000021
【図２０】
0003210487.tif 000022
【図２１】
0003210487.tif 000023
【図２２】
0003210487.tif 000024
【図２３】
0003210487.tif 000025
【図２４】
0003210487.tif 000026
【図２５】
0003210487.tif 000027
【図２６】
0003210487.tif 000028